(57)【要約】      （修正有）【課題】電気設備への引き込み配線の接続を解除することなく、信号表示灯などの電気機器の設置角度を容易に変更できる電気機器取付構造を提供する。【解決手段】取付装置２に挿入される挿通本体１３と、挿入方向と交差する方向に突出した突出片１４を挿通本体１３に有する電気機器１と、挿通本体１３および突出片１４が挿入される第１挿通孔３１が設けられる第１支承面２１と、第２挿通孔３２が設けられ、第１支承面２１と交差する第２支承面２２とを有し、挿通本体１３を第１挿通孔３１または第２挿通孔３２に挿入後に相対回動することにより電気機器の脱落防止を行う取付装置とからなる電気機器取付構造において、第１挿通孔３１および第２挿通孔３２の間には、引き込み配線の配線径より大きな第１連通溝４１が設けられている。【選択図】図１
2014211966.tif 000002
【特許請求の範囲】
【請求項１】
取付装置に挿入され、電気設備への引き込み配線を内包する筒状の挿通本体と、挿入方向と交差する方向に突出した突出片を挿通本体に有する電気機器と、
前記挿通本体および突出片が挿入される第１挿通孔が設けられる第１支承面と、第２挿通孔が設けられ、第１支承面と交差する第２支承面とを有し、前記挿通本体を第１挿通孔または第２挿通孔に挿入後に相対回動することにより電気機器の脱落防止を行う取付装置と、からなる電気機器取付構造において、
前記第１挿通孔および第２挿通孔の間には、引き込み配線の配線径より大きな第１連通溝が設けられていることを特徴とする電気機器取付構造。
【請求項２】
第１支承面および第２支承面の各々と互いに交差する第３支承面上に第３挿通孔を有し、第２挿通孔と第３挿通孔の間には、引き込み配線の配線径より大きな第２連通溝が設けられていることを特徴とする請求項１記載の電気機器取付構造。
【請求項３】
第１連通溝と第２連通溝は第２挿通孔に対して対称に設けられていることを特徴とする請求項１及び請求項２記載の電気機器取付構造。
【請求項４】
前記挿通孔の内径は挿通本体の外径と略同等であって、前記挿通孔と連設され突出片を挿通する切欠部を有し、挿通本体を取付装置に対し相対回動することで前記突出片が支承面の内面側に係止されることで表面側に移動しないことを特徴とする請求項１乃至３記載の電気機器取付構造。
【請求項５】
挿通本体を取付装置に対し挿入後に相対回動した時、突出片を挟持する案内溝を有することを特徴とする請求項１乃至４記載の電気機器取付構造。
【請求項６】
前記案内溝が位置する支承面部分には窓部が案内溝にそって設けられていることを特徴とする請求項５記載の電気機器取付構造。
【請求項７】
前記電気機器が信号表示灯であることを特徴とする請求項１乃至６記載の電気機器取付構造。
【発明の詳細な説明】
【技術分野】
【０００１】
本発明は、取付装置を介して信号表示灯などの電気機器を生産機械や機械設備などの電気設備に装着する際の電気機器取付構造に関する。
【背景技術】
【０００２】
例えば、表示灯を電気設備に取り付けた先行技術として、特許文献１に開示されたものがある。特許文献１に開示の技術は、電気機器としての表示灯本体と、該表示灯本体を対象となる機械装置に取り付けるための取付具とを備える表示灯において、表示灯本体は、起立姿勢から傾倒可能とすべく、取付具に対して回転自在に構成され、しかも、取付具から延出して先端部側が表示灯本体内に挿入されるガイド体が設けられ、該ガイド体の先端部側は、表示灯本体の回転中心と一致ないし略一致する配置となっていると共に、機械装置側と電気的に接続される引込線が取付具からガイド体を通って表示灯本体内の配電基板に配線されることを特徴としている。また、そのガイド体の先端部側に、表示灯本体の回転中心と一致ないし略一致する軸心を有する軸部が設けられる一方、表示灯本体は、ガイド体の軸部の外径と同じ曲率で且つ曲率中心が表示灯本体の回転中心と一致する円弧部を有し、該円弧部がガイド体の軸部の周面に摺動可能に当接するよう構成している、さらに表示灯本体は、表示灯本体の回転中心から離れる側の端部に所定の表示部を備えると共に、表示灯本体の回転中心側の端部にも同じ機能を有する表示部を備える。
【先行技術文献】
【特許文献】
【０００３】
【特許文献１】特開２００９−２６６１０号公報
【発明の概要】
【発明が解決しようとする課題】
【０００４】
しかし、特許文献１に記載の取付構造では、取り付けた表示灯を回転しないようにする固定手段を別途設ける必要があり、それに伴い工具を必要とする。また、表示灯の取り付け角度を変更するには固定手段を解除することと同様に工具を必要とする。さらに部品点数が増加するためコストが増加した。
【０００５】
本発明は、このような従来技術に鑑みてなされたもので、主たる目的は、電気設備への引き込み配線の接続を解除することなく、信号表示灯などの電気機器の設置角度を容易に変更できる電気機器取付構造を提供することにある。
【課題を解決するための手段】
【０００６】
請求項１記載の電気機器取付構造の発明は、取付装置に挿入され、電気設備への引き込み配線を内包する筒状の挿通本体と、挿入方向と交差する方向に突出した突出片を挿通本体に有する電気機器と、前記挿通本体および突出片が挿入される第１挿通孔が設けられる第１支承面と、第２挿通孔が設けられ、第１支承面と交差する第２支承面とを有し、前記挿通本体を第１挿通孔または第２挿通孔に挿入後に相対回動することにより電気機器の脱落防止を行う取付装置とからなる電気機器取付構造において、前記第１挿通孔および第２挿通孔の間には、引き込み配線の配線径より大きな第１連通溝が設けられていることを特徴とする
【０００７】
この発明によれば、２つの交差する平面上に挿通孔を設けたことで、電気機器の設置角度を容易に変更できる。さらに、引き込み配線の配線径より大きな幅の連通溝を前記挿通孔間に設けたことにより、その連通溝に引き込み配線を通せば引き込み配線の接続を解除しなくても電気機器の設置角度を変更することができる。
【０００８】
請求項２記載の発明によれば、第１支承面および第２支承面の各々と互いに交差する第３支承面上に第３挿通孔を有し、第２挿通孔と第３挿通孔の間には、引き込み配線の配線径より大きな第２連通溝が設けられていることを特徴とする。この発明によれば、より多くの交差する平面上に挿通孔を設けることで電気機器の設置できる角度を増加することができる。
【０００９】
請求項３記載の発明によれば、第１連通溝と第２連通溝は第２挿通孔に対して対称に設けられていることを特徴とする。この発明によれば、引き込み配線の接続を解除することなく、第１挿通孔での設置角度から第３挿通孔での設置角度に変更することができる。
【００１０】
請求項４記載の発明によれば、前記挿通孔の内径は挿通本体の外径と略同等であって、前記挿通孔と連設され突出片を挿通する切欠部を有し、挿通本体を取付装置に対し相対回動することで前記突出片が支承面の内面側に係止されることで表面側に移動しないことを特徴とする。この発明によれば、挿通本体を容易に取付装置に固定できる。
【００１１】
請求項５記載の発明によれば、挿通本体を取付装置に対し挿入後に相対回動した時、突出片を挟持する案内溝を有することを特徴とする。この発明によれば、突出片を挟持することで挿通本体を通じて電気機器を保持できる。
【００１２】
請求項６記載の発明によれば、前記案内溝が位置する支承面部分には窓部が案内溝にそって設けられていることを特徴とする。この発明によれば、この窓部を設けることで成型製作を行い易くでき、製作コストを抑制できる。
【００１３】
請求項７記載の発明によれば、前記電気機器が信号表示灯であることを特徴とする。この発明によれば、信号表示灯が取付装置を介して装着された電気設備を移動する際に簡単に設置角度を変更できるから、電気設備の全高を抑制できる。従って、信号表示灯の配線接続を解除せずに電気設備を移動し易くなる。
【図面の簡単な説明】
【００１４】
【図１】図１は、本発明の一実施形態に係る電気機器と取付装置の分解状態を示す斜視図である。（ａ）は斜め上方より視認した図、（ｂ）は斜め下方より視認した図である。
【図２】図２は、本発明の一実施形態に係る電気機器を取付装置に装着した状態を示す図である。
【図３】図３は、本発明の一実施形態に係る電気機器を取付装置に装着した第２の状態を示す図である。
【図４】図４は、本発明の一実施形態に係る電気機器を取付装置に装着した第３の状態を示す図である。
【図５】図５は、電気機器を示す図であって、（ａ）は正面図、（ｂ）は左側面図、（ｃ）は底面図である。
【図６】図６は、取付装置を示す図である。（ａ）は平面図、（ｂ）は底面図、（ｃ）は正面図、（ｄ）は左側面図、（ｅ）は背面図、（ｆ）はＡ−Ａ部分断面図、（ｇ）はＢ−Ｂ断面図である。
【図７】図７は、取付装置の正面中央断面図であって、（ａ）は左側面視、（ｂ）左上面視、（ｃ）は左下面視の図である。
【図８】図８は、本発明の一実施形態に係る電気機器と取付装置の取付状態の遷移を示す図である。（ａ）は取付前、（ｂ）は挿通本体を挿通孔に挿入した直後、（ｃ）は挿通本体を挿通孔に挿入した後、取付装置に対し相対回動した状態、（ｄ）は挿通本体を挿通孔に挿入した後、取付装置に対し相対回動し、突出片が挟持された状態を示す底面図である。
【００１５】
本発明において、電気機器とは引き込み配線を有する例えば信号表示灯やポール取付タイプの回転警告灯等をいう。以下ではこの電気機器を取付装置に装着した実施形態について添付図面を参照して説明する。
【００１６】
図１は、本発明の一実施形態に係る電気機器と取付装置の分解状態を示す斜視図であり、（ａ）は斜め上方より視認した図、（ｂ）は斜め下方より視認した図である。図１（ａ）および（ｂ）を参照して、電気機器としての信号表示灯１は取付装置２に対し固定することで、電気設備としての生産装置（非図示）に対し、取付装置２を介して固定される。信号表示灯１は、その本質的機能である略円筒形状の信号灯部１１と、その上部に頭部１６と、信号灯部１１の下部に設けられる挿通基部１２と、挿通基部１２の下側に一体的に位置し、取付装置２に挿入される挿通本体１３を有する。さらに挿通本体１３には、外方に突出する突出片１４と、生産装置への引き込み配線（非図示）を信号表示灯１内部に挿通するための引き込み孔１５がある。
【００１７】
信号灯部１１は、発光ダイオードや制御基板を内蔵し、生産装置に接続される引き込み配線からの信号に対応した信号報知を行う。この信号灯部１１は透明或いは透光性の樹脂等で形成され、信号報知を発光ダイオードの明滅で行う。
【００１８】
挿通基部１２は、信号灯部１１の底部としての１機能を有しており、信号灯１１の底部に略円盤形状として形成している。また、挿通基部１２は挿通本体１３と一体的に形成されており、挿通本体１３を信号灯部１１と連結している。さらに挿通基部１２は、信号灯部１１と十分な強度の固定がされており、取付装置２に対し信号表示灯１を固定した際に分離しないようにされている。
【００１９】
挿通本体１３は、信号表示灯１の長手方向に沿って形成され、挿通基部１２の下面である挟持面１２Ａより下方へ延在した円筒形態を呈している。挟持面１２Ａは、取付装置２へ信号灯表示灯１を装着した際、取付装置２の設置面と接するよう形成している。それにより、信号表示灯１を取付装置２へ装着した時の設置安定性を向上している。挿通本体１３の挟持面１２Ａからの全高は、挿通本体１３を挿通孔３へ挿入時、十分な挟持固定がなされる程度とする。挿通本体１３の肉厚は、内包する引き込み孔１５の径に依存するが、取付装置２の挿通孔３へ挿入時、信号表示灯１を十分に支持できる強度を確保できる程度とする。
【００２０】
突出片１４は、挟持面１２Ａと略並行になるよう、挿通本体１３からその外方に突出している。突出片１４のうち、前側部分が第１突出片１４Ａ、後側部分が第２突出片１４Ｂである。突出片１４Ａ、１４Ｂは略対称形状を呈している。その突出片１４の上面と挟持面１２Ａの距離は、後述する取付装置２の挿通孔３部分の周辺の肉厚と略同等である。挿通本体１３の円周方向において、突出片１４Ａ、１４Ｂは、取付装置２の挿通孔３への挿入時に信号表示灯１を十分に支持できる強度を確保できる程度の大きさを有している。
【００２１】
引き込み孔１５は、信号灯部１１を制御するための信号配線としての生産装置からの引き込み配線を信号表示灯１の内部に導入する孔である。３色表示タイプの信号表示灯として信号灯部１１を形成するとき、その引き込み配線は電源線２本を含め６本となる。頭部１６は、信号灯部１１の防水機能、防塵機能などを高めるための封止機能や余分な外光が信号灯部１１内に侵入することを防止する機能等として設けられているものである。従ってそれら機能が不要であれば、頭部１６は必ずしも必要ではない。
【００２２】
取付装置２は、信号表示灯１などの電気機器を生産装置に装着するために用いられる。取付装置２は、裾野を有した樹脂製の箱体であって、その上面部分と前面部分を平面で切り欠いた箱体を呈している。例えば、ポリカーボネートやＡＢＳなどの樹脂が利用される。取付装置２は、挿通本体１３が挿入される挿通孔３が３つの面に設けられている。挿通孔３のうち、第１挿通孔３１は取付装置２の上面である第１支承面２１に設けられ、第２挿通孔３２は取付装置２の正面上方である第２支承面２２に設けられ、第３挿通孔３３は取付装置２の前方である第３支承面２３に設けられる。
【００２３】
取付装置２は、第１支承面２１と第２支承面２２および第３支承面２３の共通側面となる側面２４を有し、正面左側に位置するのが左側面２４Ｌ、正面右側に位置するのが右側面２４Ｒである。また左側面２４Ｌと右側面２４Ｒには、各々外側に対し延設される基台部２５を有し、正面左側に位置するのが左基台部２５Ｌ、正面右側に位置するのが右基台部２５Ｒである。右基台部２５Ｒおよび左基台部２５Ｌには、取付装置２を生産装置に螺子固定するための螺子孔２７が各々設けられている。第１支承面２１と左側面２４Ｌおよび右側面２４Ｒの後側に背面２６を有する。
【００２４】
互いに近接する挿通孔３および後述する各主切欠部および副切欠部は、連通溝４で接続されている。第１挿通孔３１は連通溝４１を介して第２挿通孔３２と、第２挿通孔３２は連通溝４２を介して第３挿通孔３３と接続されている。
【００２５】
第１支承面２１は略正方形状の平面であって、第１挿通孔３１と、第１挿通孔３１の一部周縁に窓部６としての第１窓部６１を有する。第１支承面２１は、取付装置２の設置面と設置時に略平行な平面となる。生産装置の上面に本取付装置２を設置し、その取付装置２の第１挿通孔３１を介して信号表示灯１を設置した態様が通常の使用状態である。
【００２６】
第１挿通孔３１は、第１支承面２１の略中央に位置し、信号表示灯１の挿通本体１３を挿入状態で第１支承面２１に対し垂直に保持する。挿通本体１３は第１挿通孔３１へ挿入後に、取付装置２に対し相対回転することで取付装置２に保持される。そのため、第１挿通孔３１の形態は挿通本体１３が挿入後に相対回転可能な形態としての略円形状を呈している。また、挿通本体１３を第１挿通孔３１に挿入時、第１挿通孔３１の内縁で挿通本体１３を保持するため、本実施形態では挿通本体１３の形態を略円筒形状としている。
【００２７】
第２支承面２２は略正方形状の平面であって、第２挿通孔３２と、第２挿通孔３２の一部周縁に窓部６としての第２窓部６２を有する。第２支承面２２は、取付装置２の設置面と設置時に所定角度傾斜した平面である。本実施形態では、第２支承面２２は、水平面に対し４５度傾斜した平面であって、第１支承面２１と交差する。第２支承面２２は、生産装置の上面に本取付装置２を設置し、その取付装置２の第２挿通孔３２を介して信号表示灯１を斜めに設置するケースで用いられる。
【００２８】
第２挿通孔３２は、第２支承面２２の略中央に位置し、信号表示灯１の挿通本体１３を挿入状態で、第２支承面２２に対し垂直に保持する。挿通本体１３は第２挿通孔３２へ挿入後に取付装置２に対し相対回転することで取付装置２に保持される。そのため、第２挿通孔３２の形態は挿通本体１３が挿入後に相対回転可能な形態としての略円形状を呈している。また、挿通本体１３を第２挿通孔３２に挿入時、第２挿通孔３２の内縁で挿通本体１３を保持するため、本実施形態では挿通本体１３の形態を略円筒形状としている。なお、第２挿通孔３２の形態は第１挿通孔３１の形態と略同様のものとすることが好ましい。
【００２９】
第３支承面２３は略正方形状の平面であって、第３挿通孔３３と、第３挿通孔３３の一部周縁に窓部６としての第３窓部６３を有する。第３支承面２３は、取付装置２の設置面と設置時に略９０度傾斜した平面となる。
【００３０】
第３挿通孔３３は、第３支承面２３の略中央に位置し、信号表示灯１の挿通本体１３を挿入状態で、第３支承面２３に対し垂直に保持する。挿通本体１３は第３挿通孔３３へ挿入後に取付装置２に対し相対回転することで取付装置２に保持される。そのため、第３挿通孔３３の形態は挿通本体１３が挿入後に相対回転可能な形態としての略円形状を呈している。また、挿通本体１３を第３挿通孔３３に挿入時、第３挿通孔３３の内縁で挿通本体１３を保持するため、本実施形態では挿通本体１３の形態を略円筒形状としている。なお、第３挿通孔３３の形態は第１挿通孔３１の形態と略同様のものとすることが好ましい。
【００３１】
第３挿通孔３３は、配線接続をした信号表示灯１が装着された取付装置２を備えた生産装置を移動するときに一時的に利用される。前記配線接続を解除するには生産装置内部での処理が必要である一方、信号表示灯１が直立した状態（第１挿通孔３１に設置した状態）での生産装置を移動しようとすると、その信号表示灯１の高さが移動の障害となるケースがある。そのような場合に信号表示灯１の保持を第１挿通孔３１で行うのでなく第３挿通孔３３を用いることで、信号表示灯１を水平に寝かせる。これにより生産装置の移動障害となることを排除できるため、このような生産装置の移動を行うときに第３挿通孔３３は主として利用される。また、生産装置の移動先（固定設置先）においては、第３挿通孔３３に装着された信号表示灯１を、第１挿通孔３１或いは第２挿通孔３２に装着しなおして信号表示灯１として利用する。
【００３２】
連通溝４は、各挿通孔３間で信号表示灯１と生産装置等の間の信号線や電源線等の配線を接続した状態で、その配線が通過できる程度の幅を有している。つまり、連通溝４はその信号線や電源線の配線径の最大配線径より大きい溝幅を有し、各挿通孔３間をその配線が移動可能に連通している。キャブタイヤケーブルに収容されている信号線や電源線を備えた信号表示灯１用の取付装置２においては、連通溝４の溝幅はキャブタイヤケーブルが移動可能である。本実施形態において、取付装置２の左右方向の幅が約５０ｍｍであるとき、その連通溝の幅は３乃至５ｍｍ程度とする。第１挿通孔３１と第２挿通孔３２の間に第１連通溝４１がある。第２挿通孔３２と第３挿通孔３３の間に第２連通溝４２がある。また、第１連通溝４１と第２連通溝４２は取付装置２の左右略中央を通過する垂設平面上にある。信号表示灯１の信号灯配線は、第１挿通孔３１から、第１連通溝４１、第２挿通孔３２、第２連通溝４２を介して第３挿通孔３３に直線的に移動できるよう連通している。
【００３３】
図２は、本発明の一実施形態に係る電気機器を取付装置に装着した状態を示す図である。図３は、本発明の一実施形態に係る電気機器を取付装置に装着した第２の状態を示す図である。図４は、本発明の一実施形態に係る電気機器を取付装置に装着した第３の状態を示す図である。図１と図２を参照して、信号表示灯１は挿通基部１２の挟持面１２Ａが第１支承面２１と接する状態で取付装置２に装着されている。また、挿通基部１２が第１支承面２１と略同等の大きさを占めている。挿通本体１３が第１挿通孔３１に挿入されることを鑑みれば、挿通本体１３の周辺にある挟持面１２Ａの平面部分面積が第１支承面２１の平面部分面積と略同等であることがわかる。
【００３４】
図１と図３を参照して、信号表示灯１は挿通基部１２の挟持面１２Ａが第２支承面２２と接する状態で取付装置２に装着されている。また、挿通基部１２が第２支承面２２と略同等の大きさを占めている。挿通本体１３が第２挿通孔３２に挿入されることを鑑みれば、挿通本体１３の周辺にある挟持面１２Ａの平面部分面積が第２支承面２２の平面部分面積と略同等であることがわかる。同様に図１と図４を参照して、信号表示灯１は挿通基部１２の挟持面１２Ａが第３支承面２３と接する状態で取付装置２に装着されている。また、挿通基部１２が第３支承面２３と略同等の大きさを占めている。挿通本体１３が第３挿通孔３３に挿入されることを鑑みれば、挿通本体１３の周辺にある挟持面１２Ａの平面部分面積が第３支承面２３の平面部分面積と略同等であることがわかる。
【００３５】
図５は、電気機器を示す図であって、（ａ）は正面図、（ｂ）は左側面図、（ｃ）は底面図である。図６は、取付装置２を示す図である。（ａ）は平面図、（ｂ）は底面図、（ｃ）は正面図、（ｄ）は左側面図、（ｅ）は背面図、（ｆ）はＡ−Ａ部分断面図、（ｇ）はＢ−Ｂ断面図である。図５（ａ）（ｂ）を参照して、突出片１４の下面部分は、挿通本体１３の底面部分から延設されている。突出片１４の上面部分と挟持面１２Ａの間には空間がある。図５（ｃ）を参照して、突出片１４Ａ、１４Ｂの左右面をなす垂設面は、挿通基部１２及び挿通本体１３の円形状の略中心を通る延設面の一部として構成されている。本実施形態においては、突出片１４Ａの左側垂設面の延長は突出片１４Ｂの右側垂設面の延長と、突出片１４Ａの右側垂設面の延長は突出片１４Ｂの左側垂設面の延長と重複する。また、突出片１４Ａ、１４Ｂの左右垂設面の延長線は、円形状の挿通基部１２の中心を通過する。
【００３６】
図６を参照して、各挿通孔３にはその前後方向に切欠部分を有する。具体的には、第１挿通孔３１の後側には第１主切欠部３１Ａ、前側には第１副切欠部３１Ｂがある。第２挿通孔３２の後側には第２主切欠部３２Ａ、前側には第２副切欠部３２Ｂがある。第３挿通孔３３の上側には第３主切欠部３３Ａ、下側には第３副切欠部３３Ｂがある。第１主切欠部３１Ａ、第１副切欠部３１Ｂ、第２主切欠部３２Ａ、第２副切欠部３２Ｂ、第３主切欠部３３、第３副切欠部３３Ｂの左右方向の幅は略同等である。挿通本体１３を第１挿通孔３１、第２挿通孔３２、第３挿通孔３３に各々挿入するとき、これら切欠部３１Ａ、３１Ｂ、３２Ａ、３２Ｂ、３３Ａ、３３Ｂに挿通本体１３の突出片１４が挿通される。
【００３７】
第１主切欠部３１Ａは、第１挿通孔３１から後側に凸状に延設された矩形開口部分であって、その凸状の大きさ（前後方向の長さ）は突出片１４の挿通本体１３表面からの突出長と略同等である。第１副切欠部３１Ｂは第１挿通孔３１から前側に凸状に延設された矩形開口部分であって、その凸状の大きさ（前後方向の長さ）は突出片１４の挿通本体１３表面からの突出長と略同等である。第２主切欠部３２Ａは、第２挿通孔３２から後側に凸状に延設された矩形開口部分であって、その凸状の大きさ（第２支承面２２に沿う方向における前後方向の長さ）は突出片１４の挿通本体１３表面からの突出長と略同等である。第２副切欠部３２Ｂは第２挿通孔３２から前側に凸状に延設された矩形開口部分であって、その凸状の大きさ（第２支承面２２に沿う方向における前後方向の長さ）は突出片１４の挿通本体１３表面からの突出長と略同等である。第３主切欠部３３Ａは、第３挿通孔３３から上側に凸状に延設された矩形開口部分であって、その凸状の大きさ（第３支承面２３上における上下方向の長さ）は突出片１４の挿通本体１３表面からの突出長と略同等である。第３副切欠部３３Ｂは第３挿通孔３３から下側に凸状に延設された矩形開口部分であって、その凸状の大きさ（第３支承面２３上における上下方向の長さ）は突出片１４の挿通本体１３表面からの突出長と略同等である。
【００３８】
第１副切欠部３１Ｂと第２主切欠部３２Ａは、第１連通溝４１を介して連通している。また第２副切欠部３２Ｂと第３主切欠部３３Ａは、第２連通溝４２を介して連通している。図６（ａ）（ｃ）を参照して、各切欠部３１Ｂ、３２Ａ、３２Ｂ、３３Ａの左右方向の幅は、各連通溝４１、４２の幅よりも大きくなっている。これは図２乃至４で示されるよう、信号表示灯１を取付装置２に装着した使用状態における見た目や、内部への粉塵混入を抑制するためである。連通溝４は信号線や電源線などの配線を移動可能にする程度の連通溝であって、必要以上に大きくない連通溝である。
【００３９】
窓部６としての第１窓部６１、第２窓部６２、第３窓部６３は各々第１挿通孔３１、第２挿通孔３２、第３挿通孔３３の周辺に位置している。より具体的に説明すると、第１窓部６１は、円形を呈する第１挿通孔３１を中心とし、第１主切欠部３１Ａの先端部分（後側）を連通する部分円弧を溝状に切り欠いており、その切り欠き角度は第１主切欠部３１Ａから３０度となっている。また、第１窓部６１は第１主切欠部３１Ａ側のみに設けており、第１副切欠部３１Ｂ側には設けていない。第２窓部６２は、円形を呈する第２挿通孔３２を中心とし、第２主切欠部３２Ａの先端部分（後側）を通過する部分円弧を溝状に切り欠いており、その切り欠き角度は第２主切欠部３２Ａから３０度となっている。また、第２窓部６２は第２主切欠部３２Ａ側のみに設けており、第２副切欠部３２Ｂ側には設けていない。第３窓部６３は、円形を呈する第３挿通孔３３を中心とし、第３主切欠部３３Ａの先端部分（後側）を通過する部分円弧を溝状に切り欠いており、その切り欠き角度は第３主切欠部３３Ａから３０度となっている。また、第３窓部６３は第３主切欠部３３Ａ側のみに設けており、第３副切欠部３３Ｂ側には設けていない。
【００４０】
図６の各図を参照して、右側面２４Ｒおよび左側面２４Ｌは、第１支承面２１、第２支承面２２および第３支承面２３と一体的に形成されており、その肉厚も略同等である。背面２６は、右側面２４Ｒ、左側面２４Ｌ及び第１支承面２１と接しており、一体的に形成されている。右側面２４Ｒおよび左側面２４Ｌは、背面２６と共に第１支承面２１、第２支承面２２および第３支承面２３を保持している。
【００４１】
図７は、取付装置２の正面中央断面図であって、（ａ）は左側面視、（ｂ）左上面視、（ｃ）は左下面視の図である。図６および図７を参照して、取付装置２の窓部６部分の内側には挟持片５が対向している。第１支承面２１の内側には第１窓部６１に沿うように、且つ第１支承面２１と略平行に第１挟持片５１がある。第２支承面２２の内側には第２窓部６２に沿うように、且つ第２支承面２２と略平行に第２挟持片５２がある。第３支承面２３の内側には第３窓部６３に沿うように、且つ第３支承面２３と略平行に第３挟持片５３がある。
【００４２】
第１挟持片５１と第１支承面２１の各対向面間の距離、第２挟持片５２と第２支承面２２の各対向面間の距離、第３挟持片５３と第３支承面２３の各対向面間の距離は、各主切欠部３１Ａ、３２Ａ、３３Ａから右側面２４Ｒに近づくに従って徐々に狭くなる。また、右側面２４Ｒ付近における各対向面間の距離は突出片１４の高さと略同一である。
【００４３】
各挟持片５と、各挟持片５と対向する取付装置２の内面との間には、突出片１４が移動可能な案内溝７がある。具体的には、第１支承面２１の内面と第１挟持片５１の間には第１案内溝７１がある。第２支承面２２の内面と第２挟持片５２の間には第２案内溝７２がある。第３支承面２３の内面と第３挟持片５３の間には第３案内溝７３がある。また、第１案内溝７１は第１窓部６１の内側部分に位置し、第２案内溝７２は第２窓部６２の内側部分に位置し、第３案内溝７３は第３窓部６３の内側部分に位置する。各案内溝７１、７２、７３は、各々第１窓部６１、第２窓部６２、第３窓部６３と略同等に円弧状を呈している。また、各案内溝７１、７２、７３の長さは各々第１窓部６１、第２窓部６２、第３窓部６３と同等である。
【００４４】
図８は、本発明の一実施形態に係る電気機器と取付装置の取付状態の遷移を示す底面図である。（ａ）は取付前、（ｂ）は挿通本体を挿通孔に挿入した直後、（ｃ）は挿通本体を挿通孔に挿入した後、取付装置に対し相対回動した状態、（ｄ）は挿通本体を挿通孔に挿入した後、取付装置に対し相対回動し、突出片が挟持された状態を示す図である。図６乃至８を参照して、信号表示灯１を取付装置２に直立状態で保持するときの遷移を説明する。
【００４５】
信号表示灯１を直立状態で保持する時には第１挿通孔３１を使用する。図８（ａ）を参照して、信号表示灯１を取付装置２に保持しようとするとき、突出片１４を第１主切欠部３１Ａ、第１副切欠部３１Ｂに挿入できる状態で、挿通本体１３を第１挿通孔３１に挿入する。本実施形態では第１突出片１４Ａ及び第２突出片１４Ｂを同一サイズのものを利用しているため、第１突出片１４Ａを第１主切欠部３１Ａに挿入してもよく、或いは第１副切欠部１４Ｂに挿入してもよい。同様に本実施形態では第２突出片１４Ｂを第１主切欠部３１Ａに挿入してもよく、或いは第１副切欠部３１Ｂに挿入してもよい。
【００４６】
図８（ｂ）を参照して、図８（ｂ）は第１突出片１４Ａが第１副切欠部３１Ｂに対応するよう、ならびに第２突出片１４Ｂが第１主切欠部３１Ａに対応するように挿通本体１３を第１挿通孔３１に挿入した直後の状態を示す遷移図である。このとき、挿通本体１３の外縁が第１挿通孔３１の内縁と接する。それにより信号表示灯１が傾斜しようとしても挿通本体１３の側面が第１挿通孔３１の内縁で移動抑制される。第２突出片１４Ｂの先端部分は、第１主切欠部３１Ａの内面と近接している。第１突出片１４Ａの先端部分は、第１副切欠部３１Ｂと第１連通溝４１の境界面と近接している。
【００４７】
図８（ｂ）の状態において、挟持面１２Ａが第１支承面２１と接しており、突出片１４の全体が第１支承面２１の肉厚より内側にある。また、このとき、突出片１４、第１突出片１４Ａ、第２突出片１４Ｂの上面が第１支承面２１の対向する内面と近接状態にあり、第１突出片１４Ａの下面が第１挟持片５１の上面と近接状態にある。
【００４８】
図８（ｃ）は、図８（ｂ）の状態から挿通本体１３を底面視で逆時計回り方向へ、取付装置２に対して若干相対回転させた状態を示している。図８（ｃ）を参照して、第２突出片１４Ｂの先端部分の一部が第１挟持片５１の上側に位置している。このとき、第２突出片１４Ｂの先端部分の一部は、第１挟持片５１と第１支承面２１の対向する内面間に設けられる第１案内溝７１に導入されている。第１案内溝７１の第２突出部１４Ｂの導入部分において、第１挟持片５１と第１支承面２１の内面の距離は、第２突出部１４Ｂの上下方向の肉厚より若干大きい程度であり、その内面の距離は導入部分から離れるに従い徐々に近くなる。また、第１突出片１４Ａは、第１支承面２１の内面に近接した状態に位置している。
【００４９】
図８（ｄ）は、図８（ｃ）の状態から挿通本体１３を底面視で逆時計回り方向へ、取付装置２に対して相対回転させた状態であって、先に第１案内溝７１に導入される側の第２突出片１４Ｂの面が第１案内溝７１の移動方向の奥にある壁面に近接した状態を示している。なお、前記壁面の底面視における延長線は略円形状の第１挿通孔３１の中心点を通過する。これは前述のとおり突出片１４Ａ、１４Ｂが挿通基部１２の中心点を通過することに対応している。
【００５０】
図８（ｄ）を参照して、第２突出片１４Ｂの全体が第１案内溝７１に収容される。本実施形態における第１案内溝７１の上記の奥にある壁面付近において、第１挟持片５１と第１支承面２１の内面の距離は、第２突出部１４Ｂの上下方向の肉厚より若干小さい程度としている。これは第２突出片１４Ｂを上記壁面付近において、第１挟持片５１と対向する第１支承面２１の内面で挟持するためであり、これにより信号表示灯１の取付装置２への装着が完了する。
【００５１】
このように第１支承面２１と第１挟持片５１で突出片１４を挟持することにより信号表示灯１を保持することから、第１支承面２１の肉厚等を信号表示灯１が保持できる程度のものとしている。さらにこのとき、信号表示灯１の挟持面１２Ａが第１支承面２１上にある、第１挿通孔３１、第１主切欠部３１Ａ、第１副切欠部３１Ｂを覆っている。より具体的には挿通基部１２の大きさが、第１支承面２１Ａの大きさと略同等である。それにより必要以上の粉塵が取付装置２内に侵入することを抑制している他、取付装置２の大きさを信号表示灯１に対してより小型化する上で貢献している。
【００５２】
上記では挿通本体１３を第１挿通孔３１に挿入することで信号表示灯１を取付装置２に直立状態で装着することを説明した。次に挿通本体１３を第２挿通孔３２、第３挿通孔３３に挿入することで、信号表示灯を取付装置２に対し各々斜め方向、水平方向に装着することを説明する。なお、基本的な信号表示灯１の取付装置２への装着方法について、第１挿通孔３１への装着方法と、第２挿通孔３２への装着方法および第３挿通孔３３への装着方法と略同等である。
【００５３】
図５乃至７を参照して、信号表示灯１を斜め前方に傾斜する状態で保持する時には第２挿通孔３２を使用する。信号表示灯１を取付装置２に傾斜状態で保持しようとするとき、突出片１４を第２主切欠部３２Ａ、第２副切欠部３２Ｂに挿入できる状態で、挿通本体１３を第２挿通孔３２に挿入する。本実施形態では第１突出片１４Ａ及び第２突出片１４Ｂを同一サイズのものを利用しているため、第１突出片１４Ａを第２主切欠部３２Ａに挿入してもよく、或いは第２副切欠部１４Ｂに挿入してもよい。同様に本実施形態では第２突出片１４Ｂを第２主切欠部３１Ａに挿入してもよく、或いは第２副切欠部３２Ｂに挿入してもよい。
【００５４】
第１突出片１４Ａが第２副切欠部３２Ｂに対応するよう、ならびに第２突出片１４Ｂが第２主切欠部３２Ａに対応するように挿通本体１３を第２挿通孔３２に挿入した直後の状態を説明する。このとき、挿通本体１３の外縁が第２挿通孔３２の内縁と接する。それにより信号表示灯１が、第２挿通孔３２の中心を通り、傾斜した第２支承面２２に直交する線上より傾斜しようとしても挿通本体１３の側面が第２挿通孔３２の内縁で移動抑制される。
【００５５】
また、挟持面１２Ａは第２支承面２２と接しており、突出片１４の全体が第２支承面２２の肉厚より内側にある。また、このとき第１突出片１４Ａ、第２突出片１４Ｂの上面が第２支承面２２の対向する内面と近接状態にあり、第１突出片１４Ａの下面が第２挟持片５２の上面と近接状態にある。
【００５６】
次に挿通本体１３を第２挿通孔３２に挿入後、底面視で逆時計回り方向へ、取付装置２に対して若干相対回転させた状態につき説明する。第２突出片１４Ｂの先端部分の一部が第２挟持片５２の上側に位置する。このとき第２突出片１４Ｂの先端部分の一部は、第２挟持片５２と第２支承面２２の内面に設けられる第２案内溝７２に導入されている。第２案内溝７２の第２突出部１４Ｂの導入部分において、第２挟持片５２と第２支承面２２の内面の距離は、第２突出部１４Ｂの上下方向の肉厚より若干大きい程度であり、その内面の距離は導入部分から離れるに従い徐々に近くなる。また、第１突出片１４Ａは、第２支承面２２の対向する内面に近接した状態に位置している。
【００５７】
次に上記の状態から挿通本体１３を底面視で逆時計回り方向へ、取付装置２に対して相対回転させた状態であって、先に第２案内溝７２に導入される側の第２突出片１４Ｂの面が第２案内溝７２の移動方向の奥にある壁面に近接した状態につき説明する。なお、第２支承面２２と平行する面から前記壁面見たとき、壁面の延長線は略円形状の第２挿通孔３２の中心点を通過する。これは前述のとおり突出片１４Ａ、１４Ｂが挿通基部１２の中心点を通過することに対応している。
【００５８】
第２突出片１４Ｂの全体が第２案内溝７２に収容される。信号表示灯１を傾斜状態で保持するとき、第２案内溝７２の上記の奥にある壁面付近において、第２挟持片５２と第２支承面２２の対向する内面の距離は、第２突出部１４Ｂの上下方向の肉厚より若干小さい程度としている。これは第２突出片１４Ｂを上記壁面付近において、第２挟持片５２と対向する第２支承面２２の内面で挟持するためであり、これにより信号表示灯１の取付装置２への装着が完了する。
【００５９】
このように第２支承面２２と第２挟持片５２で突出片１４を挟持することにより信号表示灯１を保持することから、第２支承面２２の肉厚等を信号表示灯１が保持できる程度のものとしている。さらにこのとき、挟持面１２Ａが第２支承面２２上にある、第２挿通孔３２、第２主切欠部３２Ａ、第２副切欠部３２Ｂを覆う。より具体的には挿通基部１２の大きさが、第２支承面２２Ａの大きさと略同等である。それにより必要以上の粉塵が取付装置２内に侵入することを抑制している他、取付装置２の大きさを信号表示灯１に対してより小型化する上で貢献している。
【００６０】
図５乃至７を参照して、信号表示灯１を水平状態で保持する時、第３挿通孔３３を使用する。信号表示灯１を取付装置２に水平状態で保持しようとするとき、突出片１４を第３主切欠部３３Ａ、第３副切欠部３３Ｂに挿入できる状態で、挿通本体１３を第３挿通孔３３に挿入する。本実施形態では第１突出片１４Ａ及び第２突出片１４Ｂを同一サイズのものを利用しているため、第１突出片１４Ａを第３主切欠部３３Ａに挿入してもよく、或いは第３副切欠部１４Ｂに挿入してもよい。同様に本実施形態では第２突出片１４Ｂを第３主切欠部３３Ａに挿入してもよく、或いは第３副切欠部３３Ｂに挿入してもよい。
【００６１】
第１突出片１４Ａが第３副切欠部３３Ｂに対応するよう、ならびに第２突出片１４Ｂが第３主切欠部３３Ａに対応するように挿通本体１３を第３挿通孔３３に挿入した直後の状態を説明する。このとき、挿通本体１３の外縁が第３挿通孔３３の内縁と接する。それにより信号表示灯１が、水平状態より傾斜しようとしても挿通本体１３の側面が第３挿通孔３３の内縁で移動抑制される。挿通本体１３がルーロの三角形やルーロの多角形に基づく柱形状のときも同様である。第２突出片１４Ｂの先端部分は、第３主切欠部３３Ａの内面と近設している。第１突出片１４Ａの先端部分は、第３副切欠部３３Ｂの境界面と近設している。
【００６２】
また、挟持面１２Ａは第３支承面２３と接しており、突出片１４の全体が第３支承面２３の肉厚より内側にある。また、このとき、突出片１４、第１突出片１４Ａ、第２突出片１４Ｂの上面が第３支承面２３の対向する内面と近接状態にあり、第１突出片１４Ａの下面が第３挟持片５３の上面と近接状態にある。
【００６３】
次に挿通本体１３を第３挿通孔３３に挿入後、正面視で時計回り方向へ、取付装置２に対して若干相対回転させた状態につき説明する。第２突出片１４Ｂの先端部分の一部が第３挟持片５３の前側（第３支承面２３側）に位置する。このとき第２突出片１４Ｂの先端部分の一部は、第３挟持片５３と第３支承面２３の内面に設けられる第３案内溝７３に導入されている。第３案内溝７３の第２突出部１４Ｂの導入部分において、第３挟持片５３と第３支承面２３の内面の距離は、第２突出部１４Ｂの上下方向の肉厚より若干大きい程度であり、その内面の距離は導入部分から離れるに従い徐々に近くなる。また、第１突出片１４Ａは、第３支承面２３の内面に近接した状態に位置している。
【００６４】
次に上記の状態から挿通本体１３を正面視で時計回り方向へ、取付装置２に対して相対回転させた状態であって、先に第３案内溝７３に導入される側の第２突出片１４Ｂの面が第３案内溝７３の移動方向の奥にある壁面に近接した状態につき説明する。なお、正面視で壁面の延長線は略円形状の第３挿通孔３３の中心点を通過する。これは前述のとおり突出片１４Ａ、１４Ｂが挿通基部１２の中心点を通過することに対応している。
【００６５】
第３突出片１４Ｂの全体が第３案内溝７３に収容される。信号表示灯１を傾斜状態で保持するとき、第３案内溝７３の上記の奥にある壁面付近において、第３挟持片５３と第３支承面２３の内面の距離は、第２突出部１４Ｂの上下方向の肉厚より若干小さい程度としている。これは第２突出片１４Ｂを上記壁面付近において、第３挟持片５３と対向する第３支承面２３の内面で挟持するためであり、これにより信号表示灯１の取付装置２への装着が完了する。
【００６６】
このように第３支承面２３と第３挟持片５３で突出片１４を挟持することにより信号表示灯１を保持することから、第３支承面２３の肉厚等を信号表示灯１が保持できる程度のものとしている。さらにこのとき、挟持面１２Ａが第３支承面２３上にある、第３挿通孔３３、第２主切欠部３３Ａ、第３副切欠部３３Ｂを覆う。より具体的には挿通基部１２の大きさが、第３支承面２３Ａの大きさと略同等である。それにより必要以上の粉塵が取付装置２内に侵入することを抑制している他、取付装置２の大きさを信号表示灯１に対してより小型化する上で貢献している。
【００６７】
本実施形態として、信号灯部１１が略円筒形状のもので説明するが、その限りでなくその他の形状でもよい。また、挿通本体１３の形態は略円筒形状であれば内縁との接触面積が増えるため好ましいが、その形状に限らない。例えば、挿通本体１３を多角形、ルーロの三角形、ルーロの多角形の筒状の形態としてもよい。さらに、挿通本体１３がルーロの三角形状であれば、第１挿通孔３１、第２挿通孔３２、第３挿通孔３３を略正方形状に変更しても挿通本体１３は第１挿通孔３１に対し相対回転可能である。また、その状態において挿通本体１３を介して信号表示灯１を取付装置２に保持することができる。
【００６８】
本実施形態において、右側面２４Ｒおよび左側面２４Ｌは垂設された平面であるがその限りでない。また、第２突出片１４Ｂを上記方法で挟持することにより、信号表示灯１が取り外し方向に相対回転することによる取付装置２からの脱落を防ぐようにしたがこの限りでない。例えば、突出片１４を側面視円形となる略部分円錐形態とし、第１挟持片５１、第２挟持片５２、第３挟持片５３の移動奥方向に突出片１４が操作により移動可能な程度であって、操作なしでは移動不可能な程度の曲段部を設けるなどしてもよい。さらに各窓部６１、６２、６３が、各主切欠部３１Ａ、３２Ａ、３３Ａの先端部分を連通する部分円弧を溝状に切り欠いたものであると説明したが、その限りでない。例えば、電気機器の質量等により取付装置２の強度が必要なとき、各主切欠部３１Ａ、３２Ａ、３３Ａと各窓部６１、６２、６３の間には、切欠きのない各支承面２１、２２、２３が存在するようにして、連通しなくてもよい。また、各主切欠部３１Ａ、３２Ａ、３３Ａの切り欠き角度が３０度としたがその限りでなく、電気機器の保持強度を確保できればかまわない。
【００６９】
本発明を具体的な実施態様により詳細に説明したが、上記の内容を理解した当業者は、その変更、改変および均等物を容易に考えられるであろう。従って、本発明は特許請求の範囲およびその均等の範囲とするべきである。
【符号の説明】
【００７０】
１      信号表示灯（電気機器）
１１    信号灯部
１２    挿通基部
１２Ａ  挟持面
１３    挿通本体
１４    突出片
１４Ａ  第１突出片
１４Ｂ  第２突出片
１５    引き込み孔
１６    頭部
２      取付装置
２１    第１支承面
２２    第２支承面
２３    第３支承面
２４    側面
２４Ｌ  左側面
２４Ｒ  右側面
２５    基台部
２５Ｌ  左基台部
２５Ｒ  右基台部
２６    背面
２７    螺子孔
３      挿通孔
３１    第１挿通孔
３１Ａ  第１主切欠部
３１Ｂ  第１副切欠部
３２    第２挿通孔
３２Ａ  第２主切欠部
３２Ｂ  第２副切欠部
３３    第３挿通孔
３３Ａ  第３主切欠部
３３Ｂ  第３副切欠部
４      連通溝
４１    第１連通溝
４２    第２連通溝
５      挟持片
５１    第１挟持片
５２    第２挟持片
５３    第３挟持片
６      窓部
６１    第１窓部
６２    第２窓部
６３    第３窓部
７      案内溝
７１    第１案内溝
７２    第２案内溝
７３    第３案内溝
【図１】
2014211966.tif 000003
【図２】
2014211966.tif 000004
【図３】
2014211966.tif 000005
【図４】
2014211966.tif 000006
【図５】
2014211966.tif 000007
【図６】
2014211966.tif 000008
【図７】
2014211966.tif 000009
【図８】
2014211966.tif 000010